(57)【要約】      （修正有）【課題】電気スタンドと懐中電灯とを併用でき、しかも全体の体積がより小さく、携帯性が良い電気スタンドと懐中電灯両用可能な太陽エネルギー装置を提供する。【解決手段】レバー１０と、本体部２０と、照明部３０と、を含み、レバー１０には金属リードが収容され、本体部２０は、充電電池と、第１ケース部２１と、回路板と、光線接収面と、太陽エネルギーパネル２２とを含み、充電電池と回路板が本体部２０の内部に設けられ、充電電池が回路板に設けられ、太陽エネルギーパネル２２が光線接収面に設けられ、太陽エネルギーパネル２２が充電電池と電気的に連接し、照明部３０は、作動スイッチと、第２ケース部３２と、複数の発光ダイオード３３とを含み、その両側がそれぞれレバー１０を介して本体部２０の枢着部と枢着し、各発光ダイオード３３は、作動スイッチと金属リードを介して本体部の回路板に設けられた充電電池と電気的に連接する。【選択図】図１
0003153593.tif 000002
【実用新案登録請求の範囲】
【請求項１】
二つのレバーと、本体部と、照明部と、を含む電気スタンドと懐中電灯両用可能な太陽エネルギー装置において、
前記レバーには、金属リードが収容され、
前記本体部は、充電電池と、第１ケース部と、回路板と、光線接収面と、太陽エネルギーパネルと、を含み、前記充電電池と前記回路板が前記本体部の内部に設けられ、前記充電電池が前記回路板に設けられ、前記太陽エネルギーパネルが前記光線接収面に設けられ、前記太陽エネルギーパネルが前記充電電池と電気的に連接し、
前記照明部は、作動スイッチと、第２ケース部と、複数の発光ダイオードと、を含み、その両側がそれぞれ前記レバーを介して前記本体部の枢着部と枢着し、前記各発光ダイオードは、前記作動スイッチと前記金属リードを介して前記本体部の前記回路板に設けられた前記充電電池と電気的に連接し、前記照明部と前記本体部と前記二つのレバーを枢転して同じ平面に位置し、前記本体部と前記二つのレバーを枢転して互いに垂直する一方、
これにより、懐中電灯として利用することができ、電気スタンドとして利用することもできることを特徴とする、電気スタンドと懐中電灯両用可能な太陽エネルギー装置。
【請求項２】
前記照明部は、前記レバーと枢着する枢着部から遠ざかった側には発光ダイオードが複数設けられ、前記複数の発光ダイオードの周囲には矩形突縁が設けられ、前記照明部は五つの発光ダイオードを有し、これらの前記発光ダイオードが等距離を置いて一直線に配設され、前記作動スイッチがボタン式スイッチであり、前記第１ケース部がほぼ矩形を呈し、前記第２ケース部がほぼ矩形を呈することを特徴とする、請求項１に記載の電気スタンドと懐中電灯両用可能な太陽エネルギー装置。
【請求項３】
前記光線接収面には、窪みが設けられ、前記窪みには、太陽エネルギーパネルが収容され、前記照明部の前記レバーと枢着する枢着部から遠ざかった側には作動スイッチが設けられ、前記第１ケース部が樹脂で作製されたものであり、前記第２ケース部も樹脂で作製されたものであり、前記充電電池は、リチウムイオン二次電池を採用することを特徴とする、請求項１に記載の電気スタンドと懐中電灯両用可能な太陽エネルギー装置。
【考案の詳細な説明】
【技術分野】
【０００１】
本考案は、電気スタンドと懐中電灯を両用することできる太陽エネルギー装置に関するものである。
【背景技術】
【０００２】
従来の太陽エネルギー電気スタンド５０は、図７に示すように、灯台５１と、蓄電ユニット５２と、ヘッド５３と、太陽エネルギーパネル５４と、を含む。蓄電ユニット５２が灯台５１の内部に設けられ、ヘッド５３が灯台５１に設けられ、ヘッド５３が蓄電ユニット５２と電気的に連接し、太陽エネルギーパネル５４が蓄電ユニット５２と電気的に連接し、蓄電ユニット５２は、互いに直列接続された複数の電池収容空間と、前記電池収容空間に収容されるニッケル水素電池と、を有し、従来の太陽エネルギー電気スタンド５０は、太陽エネルギーパネル５４により太陽エネルギーを吸収して電エネルギーに変換して蓄電ユニット５２に供給する。従来の太陽エネルギー電気スタンド５０は、市電の利用を減少することができるので、電気代を減少することができるが、電気スタンドとする以外の用途に利用することができず、全体の体積が大きく、携帯性がよくない欠点があった。
【考案の概要】
【考案が解決しようとする課題】
【０００３】
本考案の主な目的は、電気スタンドとする以外の用途に利用することができ、全体の体積をより小さくすることができ、携帯性が良い、電気スタンドと懐中電灯両用可能な太陽エネルギー装置を提供することにある。
【課題を解決するための手段】
【０００４】
本考案の請求項１に記載の電気スタンドと懐中電灯両用可能な太陽エネルギー装置によると、二つのレバーと、本体部と、照明部と、を含む電気スタンドと懐中電灯両用可能な太陽エネルギー装置において、レバーには、金属リードが収容され、本体部は、充電電池と、第１ケース部と、回路板と、光線接収面と、太陽エネルギーパネルと、を含み、充電電池と回路板が本体部の内部に設けられ、充電電池が回路板に設けられ、太陽エネルギーパネルが光線接収面に設けられ、太陽エネルギーパネルが充電電池と電気的に連接し、照明部は、作動スイッチと、第２ケース部と、複数の発光ダイオードと、を含み、その両側がそれぞれ前記レバーを介して本体部の枢着部と枢着し、各発光ダイオードは、作動スイッチと金属リードを介して本体部の回路板に設けられた充電電池と電気的に連接し、照明部と本体部と二つのレバーを枢転して同じ平面に位置してもいいし、本体部と二つのレバーを枢転して互いに垂直してもよく、これにより、懐中電灯として利用することができ、電気スタンドとして利用することもできることを特徴とする電気スタンドと懐中電灯両用可能な太陽エネルギー装置である。
【０００５】
本考案の請求項２に記載の電気スタンドと懐中電灯両用可能な太陽エネルギー装置によると、照明部は、レバーと枢着する枢着部から遠ざかった側には発光ダイオードが複数設けられ、複数の発光ダイオードの周囲には矩形突縁が設けられ、照明部は五つの発光ダイオードを有し、これらの発光ダイオードが等距離を置いて一直線に配設され、作動スイッチがボタン式スイッチであり、第１ケース部がほぼ矩形を呈し、第２ケース部がほぼ矩形を呈する。
【０００６】
本考案の請求項３に記載の電気スタンドと懐中電灯両用可能な太陽エネルギー装置によると、光線接収面には、窪みが設けられ、窪みには、太陽エネルギーパネルが収容され、照明部のレバーと枢着する枢着部から遠ざかった側には作動スイッチが設けられ、第１ケース部が樹脂で作製されたものであり、第２ケース部も樹脂で作製されたものであり、充電電池は、リチウムイオン二次電池を採用してもよい。
【考案の効果】
【０００７】
本考案の電気スタンドと懐中電灯両用可能な太陽エネルギー装置によれば、次のような効果がある。
（１）二つのレバーの枢転により、電気スタンドとすることができ、懐中電灯とすることもでき、且つ太陽エネルギーを利用することによって充電電池を充電することができるので、使用性および携帯性が極めて良い。
【０００８】
（２）本考案が電気スタンドとされる場合には、光線の射出方向を調整することができ、手で持たずに照明することができ、なお、被災区域などの市電が切られた場所では、本考案は太陽エネルギーを利用するので、市電を利用せずに照明することができ、そして本考案のレバーを枢転すると、本考案を懐中電灯として使用することもできる。
【０００９】
（３）本考案の発光ダイオードの周囲には、矩形突縁が設けられるので、矩形突縁により、発光ダイオードが異物に当られることを防止することができ、且つ発光ダイオードからの光線を集光することもできる。
【図面の簡単な説明】
【００１０】
【図１】本考案の一実施形態の斜視図である。
【図２】本考案の一実施形態の別の斜視図である。
【図３】本考案の一実施形態が懐中電灯とされる状態の模式図である。
【図４】本考案の一実施形態が電気スタンドとされる状態の模式図である。
【図５】本考案の一実施形態が会議室を照明する光源とされる状態の模式図である。
【図６】本考案の一実施形態からの光線が図５と相違する方向に向かれる状態の模式図である。
【図７】従来の太陽エネルギー電気スタンドの側面図である。
【考案を実施するための形態】
【００１１】
以下、本考案の実施の形態を図面に基づいて説明する。
【００１２】
まず、図１から図６を参照する。本考案の電気スタンドと懐中電灯両用可能な太陽エネルギー装置は、二つのレバー１０と、本体部２０と、照明部３０と、を含む。本体部２０は、充電電池と、第１ケース部２１と、回路板と、光線接収面と、太陽エネルギーパネル２２と、を含み、レバー１０には、金属リードが収容され、前記充電電池と前記回路板が本体部２０の内部に設けられ、前記充電電池が前記回路板に設けられ、太陽エネルギーパネル２２が前記光線接収面に設けられ、太陽エネルギーパネル２２が前記充電電池と電気的に連接し、前記充電電池が太陽エネルギーパネル２２からの電流を蓄蔵して照明部３０に供給する。照明部３０は、作動スイッチ３１と、第２ケース部３２と、複数の発光ダイオード３３と、を含み、その両側がそれぞれレバー１０を介して本体部２０の枢着部と枢着し、各発光ダイオード３３は、作動スイッチ３１と前記金属リードを介して本体部２０の前記回路板に設けられた前記充電電池と電気的に連接し、二つのレバー１０によって照明部３０と本体部２０を枢転することにより、本考案は、懐中電灯として利用することができ、電気スタンドとして利用することもできる。
【００１３】
照明部３０は、レバー１０と枢着する枢着部から遠ざかった側には発光ダイオード３３が複数設けられ、複数の発光ダイオード３３の周囲には矩形突縁３４が環設される。
【００１４】
本実施形態では、発光ダイオード３３が五つあり、これらの発光ダイオード３３は、等距離を置いて一直線に配設される。
作動スイッチ３１は、ボタン式スイッチであり、作動スイッチ３１を押圧することにより、発光ダイオード３３のオン・オフを切り替えることができる。
【００１５】
第１ケース部２１は、ほぼ矩形を呈する。
第２ケース部３２は、ほぼ矩形を呈する。
第１ケース部２１は、樹脂で作製されたものである。
第２ケース部３２は、樹脂で作製されたものである。
【００１６】
前記充電電池は、リチウムイオン二次電池を採用してもよい。
照明部３０と本体部２０と二つのレバー１０を枢転して同じ平面に位置してもいいし、本体部２０と二つのレバー１０を枢転して互いに垂直してもよい。
【００１７】
前記光線接収面には、窪みが設けられ、前記窪みには、太陽エネルギーパネル２２が収容される。
照明部３０のレバー１０と枢着する枢着部から遠ざかった側には、作動スイッチ３１が設けられる。
【産業上の利用可能性】
【００１８】
本考案は、太陽エネルギー装置に適用することができる。
【符号の説明】
【００１９】
１０      レバー
２０      本体部
２１      第１ケース部
２２      太陽エネルギーパネル
３０      照明部
３１      作動スイッチ
３２      第２ケース部
３３      発光ダイオード
３４      矩形突縁
５０      太陽エネルギー電気スタンド
５１      灯台
５２      蓄電ユニット
５３      ヘッド
５４      太陽エネルギーパネル
【図１】
0003153593.tif 000003
【図２】
0003153593.tif 000004
【図３】
0003153593.tif 000005
【図４】
0003153593.tif 000006
【図５】
0003153593.tif 000007
【図６】
0003153593.tif 000008
【図７】
0003153593.tif 000009